(57)【要約】  本発明は、ごみ袋（７）の開放保持スクリーンに関する。スクリーン（１）は、ごみ袋よりも短く、ごみ袋（７）の開口部（７ｂ）をスクリーン（１）の中に折り曲げることができる。スクリーン（１）はごみ袋（７）を引っ張るように設計されている。固定装置（１１）を設け、ごみ袋（７）の開口部（７ｂ）とスクリーン（１）を互いに固定する。
2007501744.tif 000002
【特許請求の範囲】
【請求項１】
スクリーン（１）は、ごみ袋（７）の開口部（７ｂ）をスクリーン（１）の中に折り曲げることができるように、ごみ袋（７）よりも短く形成し、
スクリーン（１）はごみ袋（７）を引き伸ばすように形成し、
固定装置（１１）を設け、ごみ袋（７）の開口部（７ｂ）とスクリーン（１）を互いに固定することを特徴とするごみ袋（７）の開放保持スクリーン。
【請求項２】
スクリーン（１）は、弾性部材からなり、典型形状から幅狭形状に圧縮可能であり、
前記スクリーン（１）が、幅狭形状に圧縮される際、ごみ袋（７）をスクリーン（１）上に装着することができ、或いは前記スクリーン（１）を前記ごみ袋（７）に挿入することができ、且つ
スクリーン（１）は幅狭形状から跳ね返って典型形状へとなり、それによってごみ袋（７）を引き伸ばすことができることを特徴とする請求項１に記載のスクリーン。
【請求項３】
相互保持部（１３）を設けて、スクリーン（１）の幅狭形状において、スクリーン（１）を保持することを特徴とする請求項２に記載のスクリーン。
【請求項４】
スクリーン（１）の第二端部分（１ｃ）は、ごみ袋（７）の部位（１２）が挿入可能である少なくとも一つのハンドル開口部（６）を有し、ハンドル開口部（６）を保持してスクリーン（１）とごみ袋（７）とを持ち上げて運搬することができることを特徴とする請求項１乃至３のいずれかに記載のスクリーン。
【請求項５】
固定装置（１１）は、スクリーン（１）の第二端部分（１ｃ）から外側に延伸し、且つごみ袋（７）の開口部（７ｂ）が好適には貫通するように押圧されることのできるピン（１１ａ）からなることを特徴とする請求項１乃至４のいずれかに記載のスクリーン。
【請求項６】
横断面におけるスクリーン（１）は、半円又は実質的に半円形状を有することを特徴とする請求項１乃至５のいずれかに記載のスクリーン。
【請求項７】
スクリーン（１）にごみ袋（７）を嵌合し、支持体（８）からごみをごみ袋（７）に移送し、ごみ袋（７）の部位（１２）をスクリーン（１）の二つの長手方向端縁部（２，３）の間に延在させ、二つの部位は平面形状ないしは実質的に平面形状であり、且つ支持体（８）に近接するか及び／若しくは係合することを特徴とする請求項１に記載のスクリーン。
【請求項８】
スクリーン（１）の長手方向端縁部（２，３）は、前記長手方向端縁部（２，３）によりごみ袋（７）の破損を防止する部分を含むように構成されることを特徴とする請求項１乃至７のいずれかに記載のスクリーン。
【請求項９】
ストリップ（１５）は、前記ストリップ（１５）がスクリーン（１）の第二端部分（１ｃ）で前記端縁部（２，３）の間で開口部（１ａ）を超えて拡張し、ごみ袋（７）の開口部（７ｂ）が前記ストリップ（１５）の中で折り曲げられることができるように、スクリーン（１）の二つの長手方向端縁部（２，３）の上に取り付けられることを特徴とする請求項１乃至８のいずれかに記載のスクリーン。
【請求項１０】
スクリーン（１）は、薄壁で弾力性があり、且つポリプロピレン素材又はそれと同様な素材からなり、ごみ袋（７）は、スクリーン（１）を取り外せ、スクリーン（１）を取り外した後に縛ることができるプラスチック袋であることを特徴とする請求項１乃至９のいずれかに記載のスクリーン。
【発明の詳細な説明】
【発明の詳細な説明】
【０００１】
本発明は、ごみ袋の開放保持スクリーンに関する。
【０００２】
米国特許第４７６０９８２号明細書は、ごみ袋の開放保持スクリーンを有する装置を記載する。この装置においては、スクリーンが上方に移動可能な二つの側面パネルを有しており、その側面パネルは比較的複雑な構造を形成し、それによってむしろ製造に費用がかかり、且つ操作が困難となっている。簡単な手段でスクリーンとごみ袋を互いに固定させることもできない。
【０００３】
本発明の目的は、ごみ袋のためのスクリーンを単純化し改善することにあり、主として請求項１の特徴要件を備えるスクリーンを提供することによって達成される。
【０００４】
スクリーンは、ごみ袋よりも短いため、前記袋はスクリーンの中に折り曲げられ、とりわけ保持するために都合が良い。また、スクリーンはごみ袋を引っ張るので、前記袋はよりよくスクリーンに取り付けられ、その結果、ごみ袋はよりよく保護される。固定装置が、スクリーンとごみ袋を互いに固定するため、一杯になったごみ袋を入れて運搬する時に緩んだり或いは互いに分離したりしないことが確保されている。
【０００５】
添付図面を参照しながら、本発明を以下更に説明する。
【０００６】
スクリーンは、細長い形状をしており、横断面では弓形の或いは多角形の溝、又は互いに平行或いは実質的に平行であり且つ間には長手方向開口部１ａがある二つの長手方向の端縁部２，３を有する溝により構成される。スクリーン１の第一端部分１ｂは、横方向第一端縁部４を有しており、第二端部分１ｃは、横方向第二端縁部５を有している。側方から視認される端縁部４及び５は互いに平行或いは実質的に平行である。端縁部４及び５は、好適には、長手方向端縁部２、３に対して垂直或いは実質的に垂直に伸びる。
【０００７】
スクリーン１は、スクリーン１の第二端部分１ｃに少なくとも一つのハンドル開口部６を有している。実施例に示す通り、スクリーン１は、第二端縁部５と平行に伸び、取り付けられている三つのハンドル開口部６を有している。
【０００８】
スクリーン１は、ごみ袋７の中に位置するように設計されており、ごみ袋７よりも短い。ごみ袋７は、図１の破線部分に明確化のため図解されている。より正確には、スクリーン１は、ごみ袋７の部分が自由に拡張し、且つ長手方向開口部１ａを閉じるように、前記スクリーン上で前記ごみ袋７を装着し或いは引っ張ることができるように設計されている。ごみ袋７は、袋７の閉口部７ａがスクリーン１の第一端部分１ｂに位置し、且つ袋７の開口部７ｂがスクリーン１の第二端部分１ｃに位置するまでスクリーン１上に装着され或いは引っ張られることができる。
【０００９】
以上を単純な方法で達成するために、スクリーン１は、第一に支持体８上で上下逆さまに置くことができる（図２参照）。ごみ袋７は、好適には、その閉口部７ａにある前記袋７の底辺９がスクリーン１の第一端縁部４に位置し、且つ／又は第一端縁部４を嵌め込むように、スクリーン１上に装着され或いは引っ張られる。次に、スクリーン１は、その第一縁４が下向きになるように回転する。そうすると、スクリーン１は、ごみ袋７の底辺９を通じて支持体８に設置され得る（図３参照）。
【００１０】
スクリーン１は、ごみ袋７に関して上述のような長さであるので、前記袋７の開口部７ｂはスクリーン１の第二端縁部５を超えて拡張し、前記開口部７ｂを、前記第二端縁部５でスクリーン１の中に折り曲げることができる。
【００１１】
スクリーン１の外側に位置するごみ袋７の部位１２は、好適には、中身が入っている、或いは中身の入っていないごみ袋７とスクリーン１とを持ち上げ運搬するためにハンドル開口部６を掴まえることができるように、前記ハンドル開口部の中に差し込まれる。
【００１２】
スクリーン１は、ごみ袋７を引き伸ばすように設計されている。これはまた、開口部１ａを超えて拡張する前記袋の部位１２が平面形状に引き伸ばされることを意味する。
【００１３】
スクリーン１は、基本形状から幅狭の形状に圧縮可能である弾性部材からなる。それによって長手方向端縁部２は、長手方向端縁部３に近接するように位置付けられる。このことは図１の破線部分に示されている。スクリーン１が、幅狭の形状である場合には、この形状は、スクリーン１の長手方向端縁部２、３の端縁部２に取り付けられ、他の長手方向端縁部３に嵌め込むために開口部１ａを超えて拡張する相互保持部１３により維持され得る。スクリーン１が幅狭の形状に圧縮され、且つ相互保持部１３により保持されている場合には、ごみ袋７よりも幅狭となり、それによって、スクリーン１の上に装着することが容易となり、又は、スクリーン１がごみ袋７の中に容易に差し込まれることになる。
【００１４】
スクリーン１が、ごみ袋７の内側に位置している場合には、相互保持部１３は、前記の他の長手方向端縁部３から解除される。それによって、スクリーン１は、外側にはじけ最初の基本形状になり、したがってごみ袋７を引き伸ばす。
【００１５】
相互保持部１３は、針金で、その一つの端は長手方向端縁部２に取り付けられ或いは固定される。一方その他の端は、他の長手方向端縁部３に引っ掛けるのに適した形状のホック１４を有している。
【００１６】
また、スナップで取り付ける方法により長手方向端縁部２、３に引っ掛けられ或いは取り付けられるストリップ１５（図１の破線部分で図解されている）も備え付けられる。ストリップ１５は、スクリーン１の第二端部１ｃで開口部１ａを超えて拡張する。ごみ袋７の開口部７ｂは、このストリップ１５の上で折り曲げられる。これによりスクリーン１及びごみ袋７が強化され、袋が一杯になったときに袋を保護する。
【００１７】
上述のスクリーン１の実施形態は、ごみ袋７をはめて支持体８の上に自由に且つ直立する位置を可能にし（図３参照）、それによってスクリーン１は、ごみを上部から詰めることができるように、連続的にごみ袋７を開放させている。このようにして、スクリーン１は、ごみ袋７の支持体を定め、これによりごみ袋７を直立させることが可能となる。
【００１８】
図４から明らかなように、スクリーン１及びごみ袋７は、ごみ袋７の平面部或いは実質的な平面部１２が支持体８上に又は近接するように、支持体８上に置くことができる。この結果、支持体８からごみ袋７へのごみの挿入は容易になり、もし支持体８が比較的水平であり、且つ、平面部１２をそれに近接させることができ且つ／又は少なくとも部分的に前記支持体８に嵌め込むようにさせることができるならば、このことは特に意味がある。また、スクリーン１とごみ袋７が倒れている場合、スクリーン１は袋７を開いたままにする。
【００１９】
ごみ袋７にごみが一杯になった場合には、スクリーン１は袋７の中に入れられた、例えば小枝などのごみの侵入を内側から防護するために袋７内で内部保護を形成する。これは、ごみ袋７を有するスクリーン１が起立しているか倒れているかに関係なく当てはまる。
【００２０】
ごみ袋７にごみが一杯になった場合には、前記袋７は、スクリーン１により、排出し又は保管するのに適した場所まで運搬される。ごみ袋７の運搬の間、スクリーン１は運搬ハンドルの型となる。スクリーン１がもはや必要ではなくなった場合には、ごみ袋７から引き抜かれ、それから袋７は頂点で縛られる。ごみ袋７が一杯になりすぎる危険性は、スクリーン１がそこから取り除かれるときに袋７が元の形状に戻ると同時に減少する。
【００２１】
スクリーン１の長手方向端縁部２、３は、ごみ袋７を破損させず、又は前記端縁部２，３がごみ袋７の破損を防ぐ部材から供給されるように設計されている。
【００２２】
好適には、ごみ袋７が意図的ではなくスクリーン１から滑り落ち、或いはその逆もないように、前記ごみ袋７の開口部７ｂをスクリーン１に固定する固定装置１１が、設置される。この固定装置１１は、例えばスクリーン１の第二端部分１ｃから外側に伸びるピン１１ａを含む。ごみ袋７の開口部７ｂは、好適には、ごみ袋７がピン１１ａによって貫通され、袋７がスクリーン１に効果的に固定されるように、これらのピン１１ａに応圧される。
【００２３】
スクリーン１は、好適には、薄壁のポリプロピレン素材又はそれと同様な素材でできており、弾力性がある。
【００２４】
ごみ袋７は、プラスチック袋又はそれと同様のものできており、スクリーン１を取り外した後に縛ることができる。
【００２５】
本発明は、上述の実施形態及び図に示した実施形態に限定されないが、請求項の範囲内で変化する。さらに、記述されていない実施例として、スクリーン１は積み重ねることができ、軽量となる。
【図面の簡単な説明】
【００２６】
【図１】本発明によるスクリーンの斜視図である。
【図２】ごみ袋が前記スクリーンに取り付けられた時の図１に記載のスクリーンの側面図である。
【図３】ごみ袋が前記スクリーンに取り付けられた時の図１に記載のスクリーンの側面図である。
【図４】ごみ袋が支持体に倒れた状態の図１に記載のスクリーンの正面図である。
【図１】
2007501744.tif 000003
【図２】
2007501744.tif 000004
【図３】
2007501744.tif 000005
【図４】
2007501744.tif 000006
【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
スクリーン（１）は、ごみ袋（７）の開口部（７ｂ）をスクリーン（１）の中に折り曲げることができるように、ごみ袋（７）よりも短く形成し、
スクリーン（１）はごみ袋（７）を引き伸ばすように形成し、
固定装置（１１）をスクリーン（１）上に設置して、ごみ袋（７）の開口部（７ｂ）を前記固定装置（１１）に押圧できるようにすることを特徴とするごみ袋（７）の開放保持スクリーン。
【請求項２】
スクリーン（１）は、弾性部材からなり、典型形状から幅狭形状に圧縮可能であり、
前記スクリーン（１）が、幅狭形状に圧縮される際、ごみ袋（７）をスクリーン（１）上に装着することができ、或いは前記スクリーン（１）を前記ごみ袋（７）に挿入することができ、且つ
スクリーン（１）は幅狭形状から跳ね返って典型形状へとなり、それによってごみ袋（７）を引き伸ばすことができることを特徴とする請求項１に記載のスクリーン。
【請求項３】
相互保持部（１３）を設けて、スクリーン（１）の幅狭形状において、スクリーン（１）を保持することを特徴とする請求項２に記載のスクリーン。
【請求項４】
スクリーン（１）の第二端部分（１ｃ）は、ごみ袋（７）の部位（１２）が挿入可能である少なくとも一つのハンドル開口部（６）を有し、ハンドル開口部（６）を保持してスクリーン（１）とごみ袋（７）とを持ち上げて運搬することができることを特徴とする請求項１乃至３のいずれかに記載のスクリーン。
【請求項５】
固定装置（１１）は、スクリーン（１）の第二端部分（１ｃ）から外側に延伸し、且つごみ袋（７）の開口部（７ｂ）が好適には貫通するように押圧されることのできるピン（１１ａ）からなることを特徴とする請求項１乃至４のいずれかに記載のスクリーン。
【請求項６】
横断面におけるスクリーン（１）は、半円又は実質的に半円形状を有することを特徴とする請求項１乃至５のいずれかに記載のスクリーン。
【請求項７】
スクリーン（１）にごみ袋（７）を嵌合し、支持体（８）からごみをごみ袋（７）に移送し、ごみ袋（７）の部位（１２）をスクリーン（１）の二つの長手方向端縁部（２，３）の間に延在させ、二つの部位は平面形状ないしは実質的に平面形状であり、且つ支持体（８）に近接するか及び／若しくは係合することを特徴とする請求項１に記載のスクリーン。
【請求項８】
スクリーン（１）の長手方向端縁部（２，３）は、前記長手方向端縁部（２，３）によりごみ袋（７）の破損を防止する部分を含むように構成されることを特徴とする請求項１乃至７のいずれかに記載のスクリーン。
【請求項９】
ストリップ（１５）は、前記ストリップ（１５）がスクリーン（１）の第二端部分（１ｃ）で前記端縁部（２，３）の間で開口部（１ａ）を超えて拡張し、ごみ袋（７）の開口部（７ｂ）が前記ストリップ（１５）の中で折り曲げられることができるように、スクリーン（１）の二つの長手方向端縁部（２，３）の上に取り付けられることを特徴とする請求項１乃至８のいずれかに記載のスクリーン。
【請求項１０】
スクリーン（１）は、薄壁で弾力性があり、且つポリプロピレン素材又はそれと同様な素材からなり、ごみ袋（７）は、スクリーン（１）を取り外せ、スクリーン（１）を取り外した後に縛ることができるプラスチック袋であることを特徴とする請求項１乃至９のいずれかに記載のスクリーン。
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
スクリーン（１）は、ごみ袋（７）の開口部（７ｂ）をスクリーン（１）の中に折り曲げることができるように、ごみ袋（７）よりも短く形成し、
スクリーン（１）はごみ袋（７）を引き伸ばすように形成し、
固定装置（１１）をスクリーン（１）上に設置して、ごみ袋（７）の開口部（７ｂ）を前記固定装置（１１）に押圧できるようにすることを特徴とするごみ袋（７）の開放保持スクリーン。
【請求項２】
スクリーン（１）は、弾性部材からなり、典型形状から幅狭形状に圧縮可能であり、
前記スクリーン（１）が、幅狭形状に圧縮される際、ごみ袋（７）をスクリーン（１）上に装着することができ、或いは前記スクリーン（１）を前記ごみ袋（７）に挿入することができ、且つ
スクリーン（１）は幅狭形状から跳ね返って典型形状へとなり、それによってごみ袋（７）を引き伸ばすことができることを特徴とする請求項１に記載のスクリーン。
【請求項３】
相互保持部（１３）を設けて、スクリーン（１）の幅狭形状において、スクリーン（１）を保持することを特徴とする請求項２に記載のスクリーン。
【請求項４】
スクリーン（１）の第二端部分（１ｃ）は、ごみ袋（７）の部位（１２）が挿入可能である少なくとも一つのハンドル開口部（６）を有し、ハンドル開口部（６）を保持してスクリーン（１）とごみ袋（７）とを持ち上げて運搬することができることを特徴とする請求項１乃至３のいずれかに記載のスクリーン。
【請求項５】
固定装置（１１）は、スクリーン（１）の第二端部分（１ｃ）から外側に延伸し、且つごみ袋（７）の開口部（７ｂ）が好適には貫通するように押圧されることのできるピン（１１ａ）からなることを特徴とする請求項１乃至４のいずれかに記載のスクリーン。
【請求項６】
横断面におけるスクリーン（１）は、半円又は実質的に半円形状を有することを特徴とする請求項１乃至５のいずれかに記載のスクリーン。
【請求項７】
スクリーン（１）にごみ袋（７）を嵌合し、支持体（８）からごみをごみ袋（７）に移送し、ごみ袋（７）の部位（１２）をスクリーン（１）の二つの長手方向端縁部（２，３）の間に延在させ、二つの部位は平面形状ないしは実質的に平面形状であり、且つ支持体（８）に近接するか及び／若しくは係合することを特徴とする請求項１に記載のスクリーン。
【請求項８】
スクリーン（１）の長手方向端縁部（２，３）は、前記長手方向端縁部（２，３）によりごみ袋（７）の破損を防止する部分を含むように構成されることを特徴とする請求項１乃至７のいずれかに記載のスクリーン。
【請求項９】
ストリップ（１５）は、前記ストリップ（１５）がスクリーン（１）の第二端部分（１ｃ）で前記端縁部（２，３）の間で開口部（１ａ）を超えて拡張し、ごみ袋（７）の開口部（７ｂ）が前記ストリップ（１５）の中で折り曲げられることができるように、スクリーン（１）の二つの長手方向端縁部（２，３）の上に取り付けられることを特徴とする請求項１乃至８のいずれかに記載のスクリーン。
【請求項１０】
スクリーン（１）は、薄壁で弾力性があり、且つポリプロピレン素材又はそれと同様な素材からなり、ごみ袋（７）は、スクリーン（１）を取り外せ、スクリーン（１）を取り外した後に縛ることができるプラスチック袋であることを特徴とする請求項１乃至９のいずれかに記載のスクリーン。
【国際調査報告】
2007501744.tif 000007
2007501744.tif 000008
2007501744.tif 000009